(57)【要約】たとえば、ＣＤのためのケースを形成するためのブランク（１）が提供される。このブランクは折られ、ＣＤケースはケースに蝶番式に動くことが可能につけられ、ケースのヒンジとオフセットにあるキャリッジ（１４）を有し、ケースが開かれるときにキャリッジはポケットを引き出す。ブランク（１）は自動製造および折りたたみに適している。
2005535521.tif 000002
【特許請求の範囲】
【請求項１】
蝶番式に動くことが可能に第２の部分（４）に取り付けられた第１の部分（２）、および物体を保持するためのキャリッジ（１４）を含む物体のためのケースであって、物体が保護されたスペース（２４）内で保持される第１の位置と、および物体がケースからの取り出しのために提供される第２の位置との間を、第２の部分（４）に対する第１の部分（２）の動きに応じてキャリッジが移動可能であるケース。
【請求項２】
第１および第２の部分（２，４）が、中間の壁（５４，５６）により分離されている、請求項１記載のケース。
【請求項３】
第１および第２の部分（２，４）を連結するヒンジ（６）からオフセットにあるヒンジ（１６）により、キャリッジが第１の部分に蝶番式に動くことが可能に取り付けられた、請求項１または２記載のケース。
【請求項４】
第１の部分と第２の部分の間に少なくとも１つの中間要素が提供され、中間要素は第１の部分と第２の部分の１つに蝶番式に動くことが可能に取り付けられ、キャリッジが少なくとも１つの中間要素に蝶番式に動くことが可能に取り付けられる、請求項１、２または３記載のケース。
【請求項５】
保護されるスペースが、少なくとも部分的に、その内部にキャリッジがのびる空間またはポケットを画定する第２の部分（４）から離れて配置された壁（２４ａ）により画定される、請求項１から４のいずれか１項記載のケース。
【請求項６】
フロント部分（２）とリア部分（４）の少なくとも１つが、少なくとも１つの壁またはそれに付着する他のスペーシング要素で形成されるか、またはこれを有し、ケースの深さを与える、請求項１から５のいずれか１項記載のケース。
【請求項７】
ケースがデータ記録媒体用のケースであり、保持デバイス（４６）がデータ記録媒体の読みとり表面がキャリッジから離れて保持されるために提供される、請求項１から６のいずれか１項記載のケース。
【請求項８】
さらなる物品を保持するためにポケットをさらに含む、請求項１から７のいずれか１項記載のケース。
【請求項９】
ケースが医薬品またはたばこ用のケースである、請求項１から６のいずれか１項記載のケース。
【請求項１０】
ケースがＣＤ、ＤＶＤ、または他の記録媒体用のケースである、請求項１から８のいずれか１項記載のケース。
【請求項１１】
複数の物体用のキャリアであって、該キャリアは、ヒンジ領域において互いに蝶番式に動くことが可能に取り付けられた第１、第２および第３の要素を含み、第２および第３の要素がその上に、それぞれ第１および第２の保護領域を、その内部に物体を保持するために有し、第１のキャリッジは第１のヒンジからオフセットにある第２のヒンジによって第１の要素に取り付けられ、第１の保護領域内へ伸び、
また、第２のキャリッジ要素は、第１のヒンジからオフセットにある第３のヒンジによって第２の要素に取り付けられ、第２の保護領域内へ伸びる、キャリア。
【請求項１２】
第１の要素と第３の要素を連結する背の深さが、キャリア内に保持された物体、および第１の要素と第３の要素の合計の厚さと等しくされる、請求項１１記載のキャリア。
【請求項１３】
第２のパネル（４）に連結された第１のパネル（２）；
第３のパネルが第２のパネルの上に折られ、保護された領域を形成することができるように第２のパネル（４）に連結された第３のパネル（１０）；
ポケットパネルがキャリッジパネルの上に折られ、ポケットを形成することができるようにポケットパネル（２４ａ）に連結されたキャリッジパネル（１４）；および
キャリッジパネル（１４）に連結された中間のパネル（１１３）であって、中間のパネル（１１３）は、第１と第２のパネルの間の連結と垂直な境界に沿って第１のパネルと連結する、
を含むブランク。
【請求項１４】
ブランクがさらに中間のパネルの反対側の第１のパネルに連結したフラップ（１１６）を有する、請求項１３記載のブランク。
【請求項１５】
さらなるフラップ（１１６）が、第１のパネルと中間のパネルにより形成されたポケットから物品が滑り出るのを防ぐ停止タブを形成するために使用される、請求項１４記載のブランク。
【請求項１６】
第１のパネルと第２のパネルの間の連結と反対側で、第３のパネルが第２のパネルと連結され、第３のパネル（１０）または第２のパネル（１４）が、フラップ（１５２，１５４，２２２，２２４）を、第２のパネルと第３のパネルを互いにしっかりと固定し、ポケットを形成するために有する、請求項１３、１４または１５記載のブランク。
【請求項１７】
請求項１３から１６記載のいずれか１項記載のブランクからケースを製造する方法であって、
ａ）  中間のパネルが第１のパネル（２）の上に横たわるように折り、キャリッジ（１４）が第２のパネル（４）上に横たわるように折り、
ｂ）  ポケットパネルと第３のパネルを折り、キャリッジパネルが保護される領域の内部にあるようにする、
ことを含む方法。
【請求項１８】
工程ａ）を行う前に、さらなるフラップが第１のパネル（２）の上に折られ、接着剤がその上に、または中間のパネルの一部に適用され、中間のパネルをさらなるフラップに接着させる、請求項１６に記載のブランクからケースを製造する、請求項１７記載の方法。
【発明の詳細な説明】
【技術分野】
【０００１】
本発明は、コンパクトディスク、デジタル多用途ディスク（ＤＶＤ）およびミニディスクが例としてあげられる、データ記憶媒体のような比較的薄い物体の格納および保護のためのケースに関する。ケースはたばこのようなアイテムを格納するために使用することもできる。本発明は、さらにそのようなケースの製造に関する。
【０００２】
ＣＤジュエルケースのようなＣＤキャリアは、固く脆いプラスチックで通常作られており、それらに関連するいくつかの問題を有している。ケースはあまり丈夫でなく、使用の間に壊れるかあるいは非常に容易に破損される傾向がある。あるいは、特に透明なプラスチックで通常作られている本体フロントカバー表面上にひっかき傷が生ずる。さらに、ジュエルケースの本体前面カバーまたは蓋は、ケースの基部へあまりしっかりと付けられず、とても容易に分離する傾向がある。
さらに、蓋と基部を一緒に保持するヒンジメカニズムは全く脆弱で、しばしば壊れる。
【０００３】
先行技術ＣＤケースに関するさらなる問題は、ＣＤの中心に形成された穴の周囲をエーゲージする変形可能な歯の環状配列上においてＣＤがしばしば保持されるということである。歯が壊れた場合、ＣＤが自由になり、そのケースの内部を移動し、その結果ＣＤのデータ記録面に引っ掻き傷をつけることがある。
【０００４】
ほとんどのＣＤは、歌と芸術家に関する、情報を提供する小冊子が付属する。
現在使用されているＣＤジュエルケースでは、小冊子は蓋の内表面に固定されたプラスチックタブによって確保されている。これは、タブの下から小冊子を引き抜くことをに非常に困難にする。一旦小冊子が引き抜かれれば、蓋に対して所定位置へ小冊子を戻すことが非常に難しい。
【０００５】
ＣＤジュエルケースシステムに基づくＤＶＤキャリア、およびミニディスクキャリアも、上に記述された問題に苦しむ。
【０００６】
本発明の最初の態様によれば、蝶番式に動くことが可能に第２の部分に取り付けられた第１の部分、および物体を保持するためのキャリッジを含む物体のためのケースであって、物体が保護されたスペース内で保持される第１の位置と、物体のケースからの取り出しのために提供される第２の位置との間を、第１の位置の第２の位置との相対的な動きに応じてキャリッジが移動可能であるケースが提供される。
【０００７】
好ましくは、第１の部分は、ケースのフロント部を形成し、第２の部分は、ケースのリア部を形成する。しかしながら、第１と第２の部分は、等しくケースのトップとボトムを形成することができる。
【０００８】
好ましくは、第１の部分は、直接第２の部分に蝶番式に動くことが可能に取り付けられる。これは、単純で安価な設計のケースをもたらす。しかしながら、宣伝材料を含めたり、ケースが他のケースと積み重ねられた場合でさえデータを見ることができる領域を作るという望みは、本の背のような機能を果たす中間の壁により第１と第２の部分が互いに隔てられることに帰着することがある。
【０００９】
好ましくは、キャリッジは、柔軟なリンクによって、あるいはヒンジによって第１の部分に付けられる。
キャリッジと第１の部分の連結は、第１と第２部分間のヒンジ連結からオフセットにされる。
好ましい実施態様では、ヒンジ連結はキャリッジと第１の部分の間で形成される。また、ヒンジ連結は第１と第２の部分を相互に連結させる当該または各ヒンジと平行である。
【００１０】
好ましくは、保護されたスペースは、少なくとも部分的に、第２の部分から離れて配置された壁によって画定される。それにより、その内部にキャリッジが伸びる空間あるいはポケットを画定する。これは、それがキャリッジを後部部分に隣接して保持するというさらなる長所をもたらす。
【００１１】
有利には、第１もしくはフロント部分、または第２もしくは裏面部分の少なくとも１つ、およびキャリッジは柔軟で弾力を有する。これらのアイテムの制限された柔軟性が有利である。なぜなら、ケースの厚みを最小限にするかあるいは少なくとも既存のジュエルケースと同等に維持できるからである。第１および／または第２の部分は、前もって定義した深さで作られることができる。これは、ケースに剛健さと容積を部分的に与え、市場の受容性を向上させることができる。第１と第２部分は一体として形成されることができ、また別個に箱要素および／または周辺の壁を組み合わせ、ケースの深さを画定することができる。
有利に、ケースは複数のディスクあるいは他の物体を同時に保持することができる。これは２枚以上のディスクを単一のキャリッジ上で保持することができるように、ケースをより大きくすることにより、達成することができることがある。
【００１２】
好ましくは、少なくとも１つの中間要素は、第１と第２部分の間に提供され、さらなるヒンジによって第１と第２の部分の少なくとも１つに、蝶番式に動くことが可能に付けられる。さらなるヒンジは有利には、第１と第２の部分を連結するヒンジの位置に、あるいはその近傍にある。中間要素は、それおよび第１の部分によって形成された第１のケース領域のためのリア部分、並びにそれおよび第２の部分によって形成された第２のケース領域のためのフロント部分の役割をする。
【００１３】
したがって、中間要素の１つの側は第１のケース領域のために保護された領域を画定し、そのフロントおよび／またはリア部分への取り付けからオフセットの位置で、それの第２の側に第２のキャリッジをヒンジ的に付ける。したがって、どちらの物体も使用者に対して同じ向きで提供され、現在使用されているジュエルケースにおけるように、フラップを繰り返し開くことなく、どちらかを取り出すことができる、たとえばデータ記憶媒体のような２つの物体のためのケースを提供することが可能である。さらなる中間の部分は、より多くのＣＤ、ＤＶＤあるいはその他同種のものをケース内に含むことを可能とする。
【００１４】
本発明の第２の態様によれば、複数の物体用のキャリアが提供され、該キャリアは、第１のヒンジ領域において互いに蝶番式に動くことが可能に取り付けられた第１、第２および第３の要素を含み、第２および第３の要素がその上に、それぞれ第１および第２の保護領域を、その内部に物体を保持するために有し、第１のキャリッジは第１のヒンジ領域からオフセットにあり、第１の保護領域へ伸びる第２のヒンジによって第１の要素に取り付けられ、また、第２のキャリッジ要素は、第１のヒンジ領域からオフセットにあり、第２の保護領域へ伸びる第３のヒンジによって第２の要素に取り付けられる。
【００１５】
有利には、フロント部分およびリア部分を連結する背の深さは、キャリアが適応される物体の厚さ、フロントとリアの部分の厚さおよび保護地域の合計の厚さに等しい。圧力がキャリアの主面（フロントとリアの部分の面に垂直なものとして定義される）に対して印加される場合、背の上にかかる荷重がほとんどないことを保証することはしたがって可能である。たとえば、キャリアが積み重ねられ、あるいは並んで配置される場合に、この構成はキャリアが圧力の下で押しつぶされるか砕かれるのを防ぐ。
【００１６】
キャリッジは、物体がＣＤ、ＤＶＤ、ミニディスクあるいはその他同種のもののようなデータ記憶媒体である場合に、損傷されることから操作表面あるいは情報保持表面を保護するために、物体を上げるか、キャリッジ部分の表面から離れた保持する手段を供給されることができる。
【００１７】
便利には、ケースは第２のポケットあるいは他の保持手段を有し、ＣＤに関係のある小冊子あるいは名刺のような追加の物品を保持することができる。例えば、小冊子が入るキャリアのフロントの部分に、あるいはその部分上にポケットを有することができ、または小冊子を所定位置に保持するためにフロント部分の内部にタブを有することができる。小冊子がケース内部にへ滑り落ちるのを防ぐために、ポケットには１つ以上の内部の突起のような停止手段を提供することができる。
【００１８】
ケースにはそれを閉じた状態で保持するために、ロックが供給されることができる。ロックは、ケースが閉まっている場合、本体前面カバー上のタブおよび、背面カバー上のその中にタブがぴったりと入るループによって形成されることができる。他の配置も、当業者の知識には明らかにある。
【００１９】
好ましくは、ケースは柔軟な紙または厚紙で作られている。紙または厚紙はプラスチックフィルムによって強化されることができ、別法としてケースは柔軟なプラスチック材料で作られることができる。プラスチッまたはプラスチックフィルムによって強化された紙の使用は、水あるいは他の液体の存在に対するケースの抵抗を増強することがある。
【００２０】
保持される物体に適するように、または市場のニーズに適合するために、ケースは任意のサイズ、形状、または配置にデザインされることができる。したがって、例えば、ケースがＤＶＤを保持するために作られている場合、ケースの形は、現在のＤＶＤキャリアのサイズおよび形と一致する長方形の形でありえる。同様に、キャリッジはキー、宝石などのような、他の大きな容積あるいは特定品目を運ぶために適応されることができる。ケースは、たばこおよび医薬品のようなアイテムのための便利なパッケージであるように適合されることができる。
【００２１】
本発明の第３の態様によれば、
第２のパネルに連結された第１のパネル；
第３のパネルが第２のパネルの上に折り重ねられ、保護された領域を形成することができるように第２のパネルに連結された第３のパネル；
ポケットパネルがキャリッジパネルの上に折り重ねられ、ポケットを形成することができるようにポケットパネルに連結されたキャリッジパネル；および
キャリッジパネルに連結された中間のパネルであって、中間のパネルは、第１と第２のパネルの間の連結と平行でない境界に沿って第１のパネルと連結する、
を含むブランクが提供される。
【００２２】
本発明は、例示として示される添付図面を参照しつつ記載される。
図１から４は、本発明の第１の実施態様を構成するケースの模式図である。図１の中で示されるように、フロントパネル２はヒンジ領域６を介してリヤパネル４に付けられる。フロントおよびリヤパネル２および４は、材料の単一のシートから作られることができる。また、ヒンジ６は、パネル２と４の間の折り目によって簡単に形成されることができる。しかしながら、図３により詳しく示されるように、ヒンジ領域６は、壁部分にフロントパネル２を連結する第１のヒンジと、第２のパネル４へ壁部分を連結する第２のヒンジをふくむことができる。リヤパネル４は、ケースによって囲まれた、物体が通常位置する保護領域８を有する。図３の中で示されるように、保護領域８は、それの周辺の領域で第２の部分４に取り付けられるか、または中間の壁１２によって第２の部分４に取り付けられたシート１０により形成されることができ、ポケットを形成する。
【００２３】
キャリッジ１４はヒンジ領域１６でフロントの部分２に付けられる。ヒンジ領域６および１６は互いに平行であるが、互いに関して横方向にオフセットである。ヒンジ領域１６は、相互連結壁２２の一方の側に配置された２つのヒンジ１８および２０として形成されることができる。ヒンジ１８および２０は、キャリッジ１４を構成する材料中の折り目により容易に形成されることができる。キャリッジはポケット領域２４をその上に有し、これはキャリッジ１４の上に配置され、それと末端部分２８に沿って連結される材料のシート２６により画定される。ポケット２４は、ＣＤのような物体を保持する役目をし、ＣＤがキャリッジ１４と移動することを保証する。容易には、さらなるシート２６は、キャリッジ自身を形成する材料のシートの部分を折り戻したものである。
【００２４】
図３は閉じた配置のケースを示す。したがって、キャリッジ２８の端はケースの端壁１２の方へ配置される。したがって、ＣＤは、保護された領域内にほとんど完全に保持される。しかしながら、ケースが開かれる場合、物体が取り出されるようになるために、キャリッジは保護された領域から滑り出る。図４は、部分的に開かれた配置のケースを示す。ケースが完全に開かれる場合、フロントの部分２がリア部分４と本質的に同じ面に倒れることが認識されるだろう。開くプロセス中に、フロントおよびリア部分２および４は、ヒンジ６のまわりで互いに関して回転し、この例においては、中間の壁によって分離された２つのヒンジから作られた複合ヒンジである。第１のヒンジ６に関する第２のヒンジ１６の位置を比較すると、図３では、第２のヒンジ１６は、第１のヒンジ６と末端壁１２の間にあり、図３に示されるようにヒンジ６の右にある。図４では、ヒンジ１６は、その位置から移動し、ケースが完全に開かれた時に、第２のヒンジ１６は、第１のヒンジ６の左側に位置するだろう。このヒンジ１６の、主ヒンジ６の一方から他方の側への再配置は、キャリッジ１４に伝えられ、そしてその結果キャリッジ１４を保護領域８から部分的に引き出す。これは、ＣＤのような物体を、それが捕まれ、ケースから取り出すことができる位置に移動させる。
【００２５】
図１に戻ると、保護領域８の上部の表面に一部を切り取った４０が形成され、また、一部を切り取った４２がキャリッジ１４の上部表面２６に形成されることが示されている。ケースが開いた配置にある場合、これらの一部を切り取った部分は、これらの領域を通って、ＣＤおよび同様のデータ記憶媒体に形成された中央の穴にユーザの指を置くことを可能なように配列される。これは、ケースからのデータ記憶媒体の取り出しを容易にする。
【００２６】
図５ａおよび５ｂは、それぞれ平面図および断面図で、キャリアに対する改良を模式的に示す。
ディスク形状の突起４６はキャリア１４の上に配置され、ＣＤがケース内に保持される時、それが、ＣＤあるいは他のデータ記憶媒体の中央の部分と整列するような位置にされる。突起４６は、ディスクのデータ保持部分がキャリア１４の材料と直接接しないことを保証する役目をする。さらなる装飾としては、小さな直径の第２の突起が第１の突起４６の中心に配置され、これが部分的にあるいは完全にデータ記憶媒体内の中央の穴を通って伸び、それを所定位置に確保するようにすることができる。しかしながら、この態様は実際にはあまり使用されないと思われる。なぜならポケットの寸法が、データ記憶媒体の周囲がこのポケットの側壁にほぼ近接しているような寸法なので、キャリアが自由にその内部で滑ることができないからである。
【００２７】
図６は、本発明の実施態様を構成する２重のケースの断面図である。図６の中で示されるケースの部分は、図１から４に関して記述されたケースの部分に非常に似ている。また、その参照数字は類似の部分に使用される。図６の中で示されるケースは、ポケットの形をしている保護領域８をその上に有するリア部分４を有する。フロントパネル２も、ヒンジ領域６を介してリヤパネル４に蝶番式に動くことが可能に連結される。ヒンジ領域６は中間壁５４のどちらかの側に形成された第１と第２のヒンジ５０および５２を有し、任意に中心に配置されたヒンジ領域５６を有することができる。中間のパネル６０が提供され、これは一般に６２で示されるヒンジ領域でバックパネル４に蝶番式に動くことが可能に取り付けられる。先に示されたタイプのキャリッジ１４は、ヒンジ６４を介して中間要素６０のリア表面６３へ蝶番式に動くことが可能に取り付けられる。ヒンジ６４はヒンジ領域６の横に配置される。中間要素６０はさらに保護領域８’を、ケースが閉じた配置にある場合に、フロントパネル２の方へ面する側に有する。さらなるキャリッジ１４’が中間のパネル６０に伴い、さらなるキャリッジ１４’は、ヒンジ領域６からオフセットになっているヒンジ領域６６でフロントパネル２にヒンジで連結される。したがって、本を開き、正しいページを見いだすのと同じ方法で、キャリアを開くことにより、保護領域８あるいは８’に、データ保持媒体を挿入し、また取り出すことができる。
【００２８】
フロントカバー２は、それらの周囲でともに連結している２枚の材料７０および７２によって実際に形成されることができる。しかし、開放端７４を有することによりスロットを形成し、それを介してカードまたは小冊子を押し、それをカバーの間にしっかりと保持するようにすることができる。末端７４は、シート７０と７２の間のスペース内の遠くに小冊子が進み、とれなくなることを防ぐために形成される。それを引き出すためにデータカードを手でつかむことを容易にするために、スロット７４の領域にカットアウトが提供される。
【００２９】
ＣＤとＤＶＤの市場は、本質的な技術的な理由がないにも関わらず、ＤＶＤがより厚いケースで提供されるようになっている。図７および８は、本発明の実施態様の断面を模式的に示す。ＤＶＤの保存と輸送のために本発明が使用されるのを容易にするために、故意に厚く作られている。ケースの厚さを増加させるため、過大な厚さの箱部分が形成された。図７および８のそれぞれは、ケースの中央の部分の断面である。従って、末端壁は、例示された部分を閉じるだろう。ヒンジ領域はドット８０によって表わされる。その他の構成は、図１から６のＣＤケースに関して記述されたそれと同様である。
【００３０】
図９は、図１の中のキャリアの組み立てられていないバージョンを例示する。点線は組み立てられたキャリアを形成する際の折り目である。実線は、切断される場所を示す。キャリアは、柔軟な厚紙のような材料の一枚のシートから形成され、示された位置で折って、組み立てられたキャリアを提供する。したがって、第１のパネル領域２は第２のパネル領域４へ付けられる。１つ以上の刻み目がヒンジを画定するために厚紙（あるいは他の適切な材料）に作られることができる。この例において、２つの刻み目がヒンジ１６０および１６２を画定するために作られた。第２のパネルも、第３のパネル１０に付けられ、第３のパネルは使用時には第２のパネル４の上に折られ、保護された領域を形成する。有利には、第３のパネル１０は第２のパネル４の反対側の、第１のパネル１０の側に位置し、これが自動折り目の制限された範囲を与えて製品の製造の自動化をより簡単にし、生産ライン上で無理なく容易に作ることができる。
【００３１】
キャリア部分１４はさらなる部分２４ａに付けられ、これは使用時にキャリッジ部分１４上に折られ、ポケット２４を形成する。容易に製造可能な製品を提供するために、キャリッジもさらなるパネル１１３に付けられ、パネル１１３はそれ自身第１のパネル２に、折り目１６０に垂直な折り目１１５に沿って付けられる。
【００３２】
製造中に、パネル１１３は折り目１１５に沿って折り曲げられ、第１のパネル領域２の上に横たわる。パネル１１３および２は互いに接着することができる。しかしながら、より有益には、折り目１１５の反対側の折り目１１８に沿った第１のパネル領域２へ蝶番式に動くことが可能に取り付けられたさらなるフラップ１１６が提供され、フラップ１１６がパネル１１３に、１１６を折りたたまれた位置に保持して接着されることができ、パネル１１３と２の間にポケットを形成することができる。更に、小冊子ストップタブ１２２の提供によりポケットの中に末端を画定することができる。したがって、フラップ１１６がパネル２に対して上に折り重ねられ、ストップタブ１２２がパネル２に接着され、部分１１３が上に折り重ねられ、フラップ１１６にのみ接着された時、ＣＤアルバム挿入物のようなアイテムのポケットのヒンジ末端からの飛び出しを止める内部障害があるポケットが提供される。
【００３３】
キャリッジ１４は、位置１３０と１３２で、フロントカバー１１３より幅においてわずかに小さいように切断される。点線１８および２０に沿って折り、キャリッジ１４用のヒンジを形成する。
キャリッジ１４および内部のディスクポケット２４は、図９に示されるような角度で切断され、内部のディスクポケット２４がヒンジ２８においてキャリッジ１４の上に折られたときに、実質的にＣＤの形に一致するようにされる。
ヒンジ２８には、その内部にスロット１３４が提供され、所定位置にＣＤを保持するのを助ける。外側のディスクポケット１０は点線１４０，１４２に沿って、後部カバー４上に折られる。フラップ１５２および１５４は、線１４４，１４６、１４８および１５０に関して折られ、後部カバー４の上部の表面にのり付けされ、ポケットを形成する。その後、すべてのアセンブリが点線１６０および１６２に沿って折られ、キャリアを開閉するためのヒンジを形成する。
【００３４】
本発明の原理は、たばこのような他のアイテムのためのケースに適用することができる。本発明の実施態様を構成するたばこパケットの例は、図１０ａ、１ＯｂおよびｌＯｃに示される。図１０ａは一般に閉じた配置のパケットを示す。パケットは、ヒンジ線２０４に沿って基部２０２へ蝶番式に動くことが可能に付けられる蓋２００を含む。たばこは、第１のヒンジ２０８、第２のヒンジ２１０および中間の壁２１２を画定するために、キャリッジ２０６の上部の端から伸びるボール紙中の折り目を含む配置を介し、蓋に連結されるキャリッジ２０６の中に保持される。図１０ｃに示されるように、ヒンジ２０８および２１０は、蓋２００と基部２０２の間のヒンジ２０４からオフセットにある。ふたを部分的に開けると、キャリッジ２０６がたばこパケットの底から動き、たばこを上げて、取り出しを容易にする。
【００３５】
図１１は、本発明の実施態様を構成するさらなるブランクを示す。ブランクは、多くの点で図９の中で示されるものに類似している。しかしながら、パネル１４は細い領域２２０をもうけるように切断される。また、追加のタブ２２２および２２４が第２のパネル４上に形成される。この例では、タブ２２２は、できあがったケースにおいてケースが開いているかか閉じられるかどうかに関係なく、バックパネル１４と重ならないように切断される。しかしながら、パネル２２４はより長く形成され、ケースが開いているかか閉じられるかどうかに関係なく、キャリッジ１４と常に重なるようにされる。このブランクからのＣＤケースの製造中に、接着剤は、ストップタブ１２２に最初に適用される。次に、フラップ１１６は、ストップタブ１２２が本体フロントカバー２に接着されるように折り重ねられる。その後、接着剤が、フラップ１１６の上部の露出した表面に沿って置かれ、ついで部分１１３が前面カバー２上に折られ、フラップ１１６に接着される。次に、タブ２２２と２２４が折られ、バックカバー４に対して横に置かれる。また、接着剤がついでそれらの上部の表面に置かれる。この段階では、キャリッジ１４もバックカバー４の上に横に置かれる。次に、第３のパネル１０およびさらなる部分２４ａをそれぞれのヒンジ線に関して同時に折り曲げ、保護領域内のキャリッジおよびポケットを形成する。
【００３６】
図１２は、キャリッジ１４およびさらなる部分２４ａを、本発明の改良された変法について模式的に示した図である。この実施態様では、ブランクの製造の際に、エンボシングが施され、斜線を施した領域２３０および２３２がブランクから上方向に浮き上がっている。そのような浮き彫りにされた領域の形成は、当業者によって容易に行なわれる。接着剤は領域２３０および／または２３２の上にも置かれ、部分２４ａがパネル１４に関して折り重ねられる場合、領域２３０および２３２が互いに接着して結合し、パネル２４ａを若干パネル１４から離れて保持し、３次元のポケットを形成する。
【００３７】
図１３は、本発明の実施態様を構成する名刺入れのためのブランクを例示する。簡潔には、これらの部分は図９の部分に類似し、同じ参照数字が付された。増加した深さの中間の壁が、フロントパネルとバックパネル、２と４の間、バックパネルと第３のパネル１０の間、およびフラップ１５２および１５４に形成された。カット２４０がパネル１５２および１５４に形成され、パネルが互いに滑って機械的に結合され、それにより接着剤の使用を要しない。ただし、もちろんこの製品の製造に際して接着剤を使用することもできる。
【００３８】
さらなる変法では、２重あるいは３重のデータ記憶媒体ケースを、２つ以上の単一のデータ記憶媒体ケースを適切な接着剤で接着し、それらを複合製品とすることにより製造することができる。したがって、２つの単一のケースが２重のＣＤケースを形成するために使用される場合、１つのケースが他のケースの上面に積み重ねられ、ついで上のケースの底面が下のケースの上面に接着される。その後、所望の場合には、簡単なボール紙スリーブで両方のケースを本のカバーのように包むことができる。発明はＣＤ、ＤＶＤおよびミニディスクのためのキャリアで例証されたが、他の物体を保持するために本発明を使用することができることが、認識されるだろう。さらに、発明のヒンジメカニズムは他の物品、特徴、本発明のキャリア中の物体を表示するために適用することができる。
【図面の簡単な説明】
【００３９】
【図１】図１は開いた配置にある、本発明の実施態様を構成するケースの模式図である。
【図２】図２は、図１の実施態様のキャリッジをより詳しく示す。
【図３】図３は閉じた配置の、図１のケースのＡ−Ａ’線に沿った断面図である。
【図４】図４は、部分的に開かれた配置の、ケースの断面図である。
【図５】図５ａおよび５ｂは、改良されたキャリッジの、それぞれ平面図および断面図である。
【図６】図６は、本発明の実施態様を構成する２重ＣＤケースの断面図である。
【図７】図７は、本発明の実施態様を構成する単一のＤＶＤケースの断面図である。
【図８】図８は、本発明の実施態様を構成する２重のＤＶＤケースの断面図である。
【図９】図９は、本発明の実施態様を構成する、組み立てられていないキャリアの模式図である。
【図１０】図１０ａ、１０ｂおよび１０ｃは、本発明の実施態様を構成するたばこパケットを例示する。
【図１１】図１１は改良されたブランクの平面図である。
【図１２】図１２は、本発明の実施態様を構成するブランクのキャリッジ部分のクローズアップである。
【図１３】図１３は、本発明の実施態様を構成する名刺ホルダのためのブランクの平面図である。
【図１】
2005535521.tif 000003
【図２】
2005535521.tif 000004
【図３】
2005535521.tif 000005
【図４】
2005535521.tif 000006
2005535521.tif 000007
【図６】
2005535521.tif 000008
【図７】
2005535521.tif 000009
【図８】
2005535521.tif 000010
【図９】
2005535521.tif 000011
2005535521.tif 000012
【図１１】
2005535521.tif 000013
【図１２】
2005535521.tif 000014
【図１３】
2005535521.tif 000015
【国際調査報告】
2005535521.tif 000016
2005535521.tif 000017
2005535521.tif 000018